(57)【要約】【課題】  繰り返し使用することが可能であって、少なくとも大きさの異なる複数の機種に対しても対応が可能で、保管に際しても、コンパクトに折り畳むことができる、取り扱いの容易な薄型表示装置用の梱包ケースを提供する。【解決手段】  繰り返し使用可能な素材で構成され、かつ折畳みが可能な、薄型表示装置を収納するための直方体状の梱包用ケース１であって、底面板の周縁に連設される正面板３、背面板４および左右の側面板６，６が、互いに隣接する面板同士が係脱自在に構成されるとともに、前記背面板４に連設された上面板５の先端縁が、前記正面板３の上部外面と係脱自在に構成された直方体状のケース本体Ａと、前記ケース本体Ａ内の、背面板４に設けられる背面緩衝部材７と、同底面板上に設けられる一対の底部支持部材９，９と、同正面板３に設けられる前面緩衝部材８から構成されている。【選択図】      図５
2009102053.tif 000002
【特許請求の範囲】
【請求項１】
繰り返し使用可能な素材で構成され、かつ折畳みが可能な、薄型表示装置を収納するための直方体状の梱包用ケースであって、
底面板の周縁に連設される前面板、背面板および左右の側面板が、互いに隣接する面板同士が係脱自在に構成されるとともに、前記背面板に連設された上面板の先端縁が前記前面板の上部外面と係脱自在に構成された直方体状のケース本体と、
前記ケース本体内の、背面板に設けられる背面緩衝部材と、同底面板上に設けられる一対の底部支持部材と、同前面板に設けられる前面緩衝部材とからなること
を特徴とする薄型表示装置用の梱包ケース。
【請求項２】
前記ケース本体は、
中空構造のプラスチックダンボールからなること
を特徴とする請求項１に記載の薄型表示装置用の梱包ケース。
【請求項３】
前記ケース本体は、
前記前面板および背面板の両側縁に沿って、それぞれ所要幅の接合片が一体的に形成されたものであって、各接合片の外面に付設された面ファスナを、前記側面板の外面に付設された面ファスナと係脱させることによって、組立ておよび扁平に折畳み可能としたものであること
を特徴とする請求項１又は２に記載の薄型表示装置用の梱包ケース。
【請求項４】
前記底面板は、
前記左右の側面板の下端部に連設された、長さが前記底面板の１／２の長さの固定板によって２重構造に形成されていること
を特徴とする請求項１〜３のいずれかに記載の薄型表示装置用の梱包ケース。
【請求項５】
前記ケース本体は、
前記前面板の下部から底面板の下部に至る、所要の幅を有する一対の帯状のベルト部材が配設固定されたもので、各ベルト部材の先端部には、それぞれリング状の把手が形成されていること
特徴とする請求項１〜４のいずれかに記載の薄型表示装置用の梱包ケース。
【請求項６】
前記ケース本体は、
前記背面板の上部に、一対の帯状のベルト部材の基端部がそれぞれ固定されたものであって、前記ベルト部材の先端部を、前記上面板とその接合片を経由して、前記前面板の上部に引き出し、引き出し位置において、前記ベルト部材の先端部裏面に設けた面ファスナと、前記前面板の上部に設けた面ファスナとを係脱させるよう構成されていること
を特徴とする請求項１〜５のいずれかに記載の薄型表示装置用の梱包ケース。
【請求項７】
前記ケース本体は、
前記前面板および背面板の両側縁に沿って、それぞれ所要幅の接合片が一体的に形成されたものであって、前記各接合片の外面にそれぞれベルト挿通部を有し、各ベルト挿通部に帯状のベルトを挿通させることによって、各面板が分離離脱しないよう構成されていること
を特徴とする請求項１〜６のいずれかに記載の薄型表示装置用の梱包ケース。
【請求項８】
前記ケース本体は、
前記底面板上に、底面板と同形でかつ所要の厚みを有する独立気泡構造のシート材からなる中敷板が、スライド自在に配置されていること
を特徴とする請求項１〜７のいずれかに記載の薄型表示装置用の梱包ケース。
【請求項９】
前背面緩衝部材は、
左右一対で構成され、低発泡ポリエチレンからなる直方体状の緩衝材主体の表面に、シート状の発泡ウレタンからなる表面材をそれぞれ一体的に貼着したものであること
を特徴とする請求項１に記載の薄型表示装置用の梱包ケース。
【請求項１０】
前記背面緩衝部材は、
前記各直方体状の緩衝材主体の裏面に、それぞれプラスチックダンボール製の補強板が一体的に貼着されたものであって、前記補強板の裏面に配設固定された面ファスナを、前記背面板の内面に配設固定された帯状の面ファスナと係脱させることによって、着脱自在に構成されていること
を特徴とする請求項９に記載の薄型表示装置用の梱包ケース。
【請求項１１】
前記前面緩衝部材は、
所要の厚みを有する、低発泡ポリエチレンからなる緩衝材主体の前面部上部に、厚み方向に所要の深さで切欠部を形成して突出部を形成するとともに、前記切欠面を突出部下端から底部に向かって厚みを次第に薄くさせてテーパー面を形成し、前記テーパー面に所要の厚みを有し、かつ発泡ウレタンのように弾性からなる表面材が、少なくともテーパー面の上部半分に貼着固定されていること
を特徴とする請求項１に記載の薄型表示装置用の梱包ケース。
【請求項１２】
前記前面緩衝部材は、
前記緩衝材主体の裏面に、プラスチックダンボール製の補強板が一体的に貼着されたものであって、前記補強板の裏面に配設固定された面ファスナを、前記前面板の内面に配設固定された帯状の面ファスナと係脱させることによって、着脱自在に構成されていること
を特徴とする請求項１又は１１に記載の薄型表示装置用の梱包ケース。
【請求項１３】
前記前面板の内面に固定される帯状の面ファスナは、
前記前面板の上縁中央から下縁方向に貼着固定されるもので、その長さは、少なくとも前面板の下縁から、前記中敷板の短手方向の幅分だけ短く形成されていること
を特徴とする請求項１２に記載の薄型表示装置用の梱包ケース。
【請求項１４】
前記一対の底部支持部材は、
いずれも、低発泡ポリエチレンからなる直方体状の緩衝材主体のほぼ中央部に、前記薄型表示装置の画面部の下縁を受入れる所要深さの凹状部が形成されるとともに、前記凹状部の後部側に、前記薄型表示装置の本体部の下部を支持する水平な載置部が、前記上面より低い位置に形成され、かつ前記上面部に、シート状の発泡ウレタンからなる表面材を一体的に貼着したものであること
を特徴とする請求項１に記載の薄型表示装置用の梱包ケース。
【請求項１５】
前記一対の底部支持部材は、
前記直方体状の緩衝材主体の裏面に、プラスチックダンボール製の補強板が一体的に貼着されたものであって、前記補強板の裏面に配設固定された面ファスナを、前記中敷板の左右の端部からそれぞれ反対方向に向けて平行に配置固定された帯状の面ファスナと係脱させることによって、着脱自在に構成されていること
を特徴とする請求項１又は１４に記載の薄型表示装置用の梱包ケース。
【請求項１６】
前記直方体状の緩衝材主体は、
その高さが、収納せんとする薄型表示装置の脚部を、底面から浮かせた状態で保持可能な高さを有すること
を特徴とする請求項１４又は１５に記載の薄型表示装置用の梱包ケース。
【発明の詳細な説明】
【技術分野】
【０００１】
この発明は、パソコン用液晶ディスプレイや液晶テレビなどの薄型の表示装置を、支持脚を分離することなく、一体梱包して搬送することのできる薄型表示装置用の梱包ケースに関するものである。
【背景技術】
【０００２】
液晶を利用したパソコン用ディスプレイや、テレビ用の液晶ディスプレイもしくはプラズマディスプレイなどの薄型の表示装置は、搬送に際して、特に、画面が振動や衝撃などによって損傷しないように、それぞれ独自に工夫した梱包用ケースを使用している。
【０００３】
かかる梱包用ケースは、大別すると、卓上などに支持するための支持脚（スタンド）を取外すことなく一体的に収納するタイプと、支持脚を表示装置本体から分離して収納するタイプとに分けることができる。
しかしながら、支持脚一体型の梱包ケースは、全体に嵩高くなることが避けられず、分離収納型の梱包ケースは、嵩を抑えることができるものの、梱包を解除したのち、使用者が支持脚を表示装置本体に固定する作業が避けられない。
【０００４】
前記した支持脚一体型の梱包ケースとしては、たとえば、特開２００５−２３１６５５号公報（特許文献１）においては、背面部に持ち運びのためのハンドルを有する液晶表示装置の梱包体が提案されている。
前記ハンドルは、その基端部が前記液晶表示装置の背面部に固定され、前記ハンドルの基端部から上部に向かって前記液晶表示装置の背面部から離れるように傾斜したハンドルの取付腕と、この前記ハンドルの取付腕の上端部に設けたハンドルの把持部とから構成されるもので、その梱包体は、梱包時において、前記液晶表示装置を前傾状態に位置保持する保持部が形成されているものである。
【０００５】
また、特開２００６−２７３３５７号公報（特許文献２）では、梱包作業性の改善、梱包副資材としての接着剤の削減や、廃棄処分時における資源の分別作業性の改善を図るため、発泡樹脂材料で構成された緩衝部材を、梱包箱内の所定位置に配設した梱包装置において、ダンボール板により前記緩衝部材の位置決めする際、位置決め用ダンボール板の一部を折り上げ、舌片状のタブを形成し、前記タブを緩衝部材に配設した凹部に嵌入係止することのできる梱包装置が提案されている。
【０００６】
また、特開２００７−０２２５３９号公報（特許文献３）においては、製造が容易であって、梱包時の美観にも優れたトレーと上箱からなる梱包箱が提案されている。
この梱包箱は、トレー及び上箱を一枚の薄板材から構成し、この薄板材のトレー及び上箱となる部分の境界に繋部を有する切離線を入れ、上箱の高さ方向の稜線となる罫線に沿って切離線から上方へ切込を設けておき、使用時に切離線の繋部を切断して、トレーとなる部分と上箱となる部分とを分割し、これらの各部分からトレー及び上箱をそれぞれ組立て、上箱の切込とトレーの周壁稜部とを噛み合わせることにより、上箱の周壁の隣接する二面の一方をトレーの外側に出し、他方をトレーの内側に入れ、トレーと上箱とを結合するものである。
【０００７】
その他、支持脚一体型の梱包ケースとしては、実用新案登録第３１０６１８８号公報、特開２００５−１０４４７９号公報、特開２００５−２３９２７６号公報、特開２００６−２３２３６０号公報などがある。
【０００８】
一方、分離収納型の梱包ケースとしては、たとえば、特開２００４−１２３２００号公報（特許文献４）では、平面状の表示部と、この表示部が転倒しないように支えるための載置体とを有する平面表示装置を梱包する梱包装置において、前記表示部と前記載置体とを分離した状態で、前記表示部と載置体の下面とが略平行になるよう収納する、平面表示装置の梱包装置を提案している。
そして、この平面表示装置の梱包装置によれば、ともに平面状に大きい部材である表示部と載置体とが直交する状態で収容されないため、外殻の一辺が大きくならず、梱包状態におけるデッドスペースを軽減することが可能であるとしている。
【０００９】
また、特開２００４−１３１１００号公報（特許文献５）では、スタンド式薄型テレビなどの機器を効率よく分解梱包して、小さな梱包スペースにコンパクトに収納できる梱包装置が提案されている。
この梱包装置は、平面状の表示部を有する本体部と、この本体部が転倒しないように支持するためのスタンド部とから構成されるスタンド式薄型テレビの梱包装置において、前記スタンド部は、球状部材と弾性部材と固定部材とを含む嵌合受け部材を有し、前記本体部は、前記球状部材に係合する凹部又は嵌合孔を含む嵌合部材を有し、前記嵌合部材を前記嵌合受け部材に嵌合すると、前記球状部材と前記凹部又は嵌合孔とが係合して、前記本体部と前記スタンド部とを固着することが可能で、前記本体部及び前記スタンド部を分解して梱包すること、及び開梱後に前記本体部及び前記スタンド部を組立てることが可能なものである。
【００１０】
また、特開２００６−１６０３３５号公報（特許文献６）においては、薄型表示装置本体を収容するパッケージを小さく維持しながら、開封時の表示画面の損傷を抑え、作業負担を軽減できる梱包箱が提案されている。
この梱包箱は、薄型表示装置を収容するパッケージケースと、このパッケージケース内で、薄型表示装置を位置決めする緩衝材とを有する薄型表示装置の梱包箱において、前記パッケージケースには、薄型表示装置をパッケージケース内に梱包した状態で、薄型表示装置へのスタンド部材の取り付けを許容するための開口部を規定するミシン目が形成されたものである。
【００１１】
また、特開２００６−１６８７３５号公報（特許文献７）においては、テーブルトップタイプタイプ薄型表示装置の梱包箱として、スタンド支持方式の薄型表示装置を構成する薄型表示装置本体とスタンドベースとを、別体で同一梱包箱内に同梱することが提案されている。
【００１２】
さらに、特開２００１−００２０６５号公報（特許文献８）においては、未使用時においても又は梱包されている装置を取り出した後においても、その部材が、確実に再利用され、しかも、未使用時の保管や搬送に際して、従来に比べて著しくスペースを要しない形で収納・保管できる大型装置用の折り畳み梱包箱が提案されている。
この梱包箱は、上部ケース、下部ケース、フラットボード、緩衝材及びコの字型ボードを梱包組立部材とする大型装置を収納する梱包箱において、前記大型装置を梱包するに際して、前記下部ケースが少なくとも四個口の緩衝材を介して維持された大型装置セット体の保持ケースであること、前記フラットボード及びコの字型ボードがそれぞれ対向して、前記セット体の四方面に当接させるペア部材であること、且つ上部ケースが、前記下部ケースに対向するペア部材として、前記セットの上部にかぶせ蓋として装着することを構成要件とするものである。
【特許文献１】特開２００５−２３１６５５号公報（特許請求の範囲，図１）
【特許文献２】特開２００６−２７３３５７号公報（特許請求の範囲，図１）
【特許文献３】特開２００７−０２２５３９号公報（特許請求の範囲，図５）
【特許文献４】特開２００４−１２３２００号公報（特許請求の範囲，図４）
【特許文献５】特開２００４−１３１１００号公報（特許請求の範囲，図７）
【特許文献６】特開２００６−１６０３３５号公報（特許請求の範囲，図２）
【特許文献７】特開２００６−１６８７３５号公報（特許請求の範囲，図５）
【特許文献８】特開２００１−００２０６５号公報（特許請求の範囲，図２）
【発明の開示】
【発明が解決しようとする課題】
【００１３】
前記特許文献１〜７に記載の発明は、いずれも使用後は、廃棄されることを前提としたものである。
したがって、紙製の梱包体は焼却が可能であっても、梱包体内に配置される緩衝材は、発泡性のスチロール樹脂が使用されているので、廃棄に際しては、本体の梱包体とは分別して廃棄する必要性があるとともに、かかる緩衝材は、焼却に際し、大量の煤煙を発生させるため、環境上解決すべき課題が残されている。
【００１４】
一方、特許文献８に記載の梱包箱は、未使用時又は使用後の空箱が、コンパクトなワンケースに収納され、保管又は搬送時にスペースを要せず、かつ再使用時にも容易に大型装置用の梱包箱として、リサイクルされるものであるが、５つの部材から構成されているので、実際の使用においては、煩瑣な組立て作業を必要とするものである。
【００１５】
また、保管の際しても、当初から適用できるのは、大型の画像装置であるので、梱包箱自体がきわめて大きなもので、必ずしも保管の観点からは場所を要するなど、従来の梱包箱に比して効果的であるとは言い得ない。
【００１６】
また、この梱包箱は、再使用時にも容易に大型装置用の梱包箱として、リサイクルされるものとしているが、緩衝材は当初収納する大型画像装置の固定保持を目的としているので、再利用の範囲はきわめて限定されたものにならざるを得ない。
【００１７】
さらに、特許文献１〜８に記載のいずれの梱包体においても、収納する薄型の表示装置のみを対象として構成されているので、複数の機種に対して共用できるものではなく、収納する機種ごとに梱包体を個別に用意する必要があるため、費用対効果の観点からは解決すべき課題が残されている。
【００１８】
この発明はかかる現状に鑑み、引越しや修理のためのメーカーへの搬送などに、繰り返し使用することが可能であって、少なくとも大きさの異なる複数の機種に対しても対応が可能で、保管に際しても、コンパクトに折り畳むことができる、取り扱いの容易な薄型表示装置用の梱包ケースを提供することを目的としたものである。
【課題を解決するための手段】
【００１９】
前記の目的を達成するため、この発明の請求項１に記載の発明は、
繰り返し使用可能な素材で構成され、かつ折畳みが可能な、薄型表示装置を収納するための直方体状の梱包用ケースであって、
底面板の周縁に連設される正面板、背面板および左右の側面板が、互いに隣接する面板同士が係脱自在に構成されるとともに、前記背面板に連設された上面板の先端縁が、前記正面板の上部外面と係脱自在に構成された直方体状のケース本体と、
前記ケース本体内の、背面板に設けられる背面緩衝部材と、同底面板上に設けられる一対の底部支持部材と、同正面板に設けられる前面緩衝部材とからなること
を特徴とする薄型表示装置用の梱包ケースである。
【００２０】
また、この発明の請求項２に記載の発明は、
請求項１に記載の薄型表示装置用の梱包ケースにおいて、
前記ケース本体は、
中空構造のプラスチックダンボールからなること
を特徴とするものである。
【００２１】
また、この発明の請求項３に記載の発明は、
請求項１又は２に記載の薄型表示装置用の梱包ケースにおいて、
前記ケース本体は、
前記正面板および背面板の両側縁に沿って、それぞれ所要幅の接合片が一体的に形成されたものであって、各接合片の外面に付設された面ファスナを、前記側面板の外面に付設された面ファスナと係脱させることによって、組立ておよび扁平に折畳み可能としたものであること
を特徴とするものである。
【００２２】
また、この発明の請求項４に記載の発明は、
請求項１〜３のいずれかに記載の薄型表示装置用の梱包ケースにおいて、
前記底面板は、
前記左右の側面板の下端部に連設された、長さが前記底面板の１／２の長さの固定板によって２重構造に形成されていること
を特徴とするものである。
【００２３】
また、この発明の請求項５に記載の発明は、
請求項１〜４のいずれかに記載の薄型表示装置用の梱包ケースにおいて、
前記ケース本体は、
前記正面板の下部から底面板の下部に至る、所要の幅を有する一対の帯状のベルト部材が配設固定されたもので、各ベルト部材の先端部には、それぞれリング状の把手が形成されていること
特徴とするものである。
【００２４】
また、この発明の請求項６に記載の発明は、
請求項１〜５のいずれかに記載の薄型表示装置用の梱包ケースにおいて、
前記ケース本体は、
前記背面板の上部に、一対の帯状のベルト部材の基端部がそれぞれ固定されたものであって、前記ベルト部材の先端部を、前記上面板とその接合片を経由して、前記正面板の上部に引き出し、引き出し位置において、前記ベルト部材の先端部裏面に設けた面ファスナと、前記正面板の上部に設けた面ファスナとを係脱させるよう構成されていること
を特徴とするものである。
【００２５】
また、この発明の請求項７に記載の発明は、
請求項１〜６のいずれかに記載の薄型表示装置用の梱包ケースにおいて、
前記ケース本体は、
前記正面板および背面板の両側縁に沿って、それぞれ所要幅の接合片が一体的に形成されたものであって、前記各接合片の外面にそれぞれベルト挿通部を有し、各ベルト挿通部に帯状のベルトを挿通させることによって、各面板が分離離脱しないよう構成されていること
を特徴とするものである。
【００２６】
また、この発明の請求項８に記載の発明は、
請求項１〜７のいずれかに記載の薄型表示装置用の梱包ケースにおいて、
前記ケース本体は、
前記底面板上に、底面板と同形でかつ所要の厚みを有する独立気泡構造のシート材からなる中敷板が、スライド自在に配置されていること
を特徴とするものである。
【００２７】
また、この発明の請求項９に記載の発明は、
請求項１に記載の薄型表示装置用の梱包ケースにおいて、
前記背面緩衝部材は、
左右一対で構成され、低発泡ポリエチレンからなる直方体状の各緩衝材主体の表面に、シート状の発泡ウレタンからなる表面材をそれぞれ一体的に貼着したものであること
を特徴とするものである。
【００２８】
また、この発明の請求項１０に記載の発明は、
請求項９に記載の薄型表示装置用の梱包ケースにおいて、
前記背面緩衝部材は、
各直方体状の緩衝材主体の裏面に、それぞれプラスチックダンボール製の補強板が一体的に貼着されたものであって、各補強板の裏面に配設固定された面ファスナを、前記背面板の内面に配設固定された帯状の面ファスナと係脱させることによって、着脱自在に構成されていること
を特徴とするものである。
【００２９】
また、この発明の請求項１１に記載の発明は、
請求項１に記載の薄型表示装置用の梱包ケースにおいて、
前記前面緩衝部材は、
所要の厚みを有する、低発泡ポリエチレンからなる緩衝材主体の前面部上部に、厚み方向に所要の深さで切欠部を形成して突出部を形成するとともに、前記切欠面を突出部下端から底部に向かって厚みを次第に薄くさせてテーパー面を形成し、前記テーパー面に所要の厚みを有し、かつ発泡ウレタンのように弾性からなる表面材が、少なくともテーパー面の上部半分に貼着固定されていること
を特徴とするものである。
【００３０】
また、この発明の請求項１２に記載の発明は、
請求項１又は１１に記載の薄型表示装置用の梱包ケースにおいて、
前記前面緩衝部材は、
前記緩衝材主体の裏面に、プラスチックダンボール製の補強板が一体的に貼着されたものであって、前記補強板の裏面に配設固定された面ファスナを、前記正面板の内面に配設固定された帯状の面ファスナと係脱させることによって、着脱自在に構成されていること
を特徴とするものである。
【００３１】
また、この発明の請求項１３に記載の発明は、
請求項１２に記載の薄型表示装置用の梱包ケースにおいて、
前記正面板の内面に固定される帯状の面ファスナは、
前記正面板の上縁中央から下縁方向に貼着固定されるもので、その長さは、少なくとも正面板の下縁から、前記中敷板の短手方向の幅分だけ短く形成されていること
を特徴とするものである。
【００３２】
また、この発明の請求項１４に記載の発明は、
請求項１に記載の薄型表示装置用の梱包ケースにおいて、
前記一対の底部支持部材は、
いずれも、低発泡ポリエチレンからなる直方体状の緩衝材主体のほぼ中央部に、前記薄型表示装置の画面部の下縁を受入れる所要深さの凹状部が形成されるとともに、前記凹状部の後部側に、前記薄型表示装置の本体部の下部を支持する、前記上面より低い位置に水平な載置部が形成され、かつ前記上面部に、シート状の発泡ウレタンからなる表面材を一体的に貼着したものであること
を特徴とするものである。
【００３３】
また、この発明の請求項１５に記載の発明は、
請求項１又は１４に記載の薄型表示装置用の梱包ケースにおいて、
前記一対の底部支持部材は、
裏面に、プラスチックダンボール製の補強板が一体的に貼着されたものであって、前記補強板の裏面に配設固定された面ファスナを、前記中敷板の左右の端部からそれぞれ反対方向に向けて平行に配置固定された帯状の面ファスナと係脱させることによって、着脱自在に構成されていること
を特徴とするものである。
【００３４】
また、この発明の請求項１６に記載の発明は、
請求項１４又は１５に記載の薄型表示装置用の梱包ケースにおいて、
前記直方体状の緩衝材主体は、
その高さが、収納せんとする薄型表示装置の脚部を、底面から浮かせた状態で保持可能な高さを有すること
を特徴とするものである。
【発明の効果】
【００３５】
この発明の薄型表示装置用の梱包ケースは、梱包ケースを構成するケース本体が、すべて底面板に対して、垂直状態から水平状態に展開させることができるので、薄型表示装置の梱包や取出し作業を、きわめて簡単かつ容易に実施することができる。
また、使用した梱包ケースは、内部に配置される複数の緩衝部材を、ケース本体に対して係脱自在に設けることによって、例えば、扁平な状態に折畳んで保管でき、繰り返しの使用が可能となったものである。
その結果、引越しや修理のための搬送などにも利用できるので、従来のような使い捨てタイプの梱包ケースに比して、環境面できわめて優れた効果を発揮するものである。
【００３６】
また、この梱包ケースは、底面板上に配置する一対の底部支持部材の、配置間隔を自在にコントロールすることによって、一つの梱包ケースを、大きさの異なる複数の薄型表示装置に使用することができる。
したがって、従来のように、搬送しようとする薄型表示装置毎に梱包ケースを製造して保管する必要がなく、大幅なコストダウンと、管理のための煩わしい手間を削減することができる。
【００３７】
また、この梱包ケースは、左右の側面板の下端部に、長さが前記底面板の１／２の長さの固定板を一体的に形成し、各固定板を左右対称に底面板上に固定することによって、底面部を二重構造に形成することができるので、梱包ケースの強度を一段と強化することが可能となる。
【００３８】
また、この梱包ケースは、薄型表示装置の後部を背面緩衝材によって、画面部を前面緩衝部材によって保持するに際し、前面緩衝部材は、前記画面部と接する部位をテーパー面として、かつテーパー面に表面材を貼着させているので、薄型表示装置の画面部を損傷させることなく確実に押圧保持することができる。
その際、前面緩衝部材の上部に、薄型表示装置の画面部の上縁部と係合する突出部を一体的に形成することによって、前記作用をより効果的に行なうことができる。
【００３９】
また、この梱包ケースは、底面板上に中敷板を前方に引き出し自在に配置することによって、底面板の強度をより向上させることができるとともに、中敷板上に底部支持部材を解して薄型表示装置を取付ける場合、前記中敷板を正面板上に引き出すことができるので、薄型表示装置の梱包又は取り出しに際し、正面板を損傷するおそれがなく、作業を容易に実施することができる。
【００４０】
また、この梱包ケースは、左右の側面板に形成する把手以外に、背面板の下部から底面板を経由して正面板の下部に向けて、両端部に把手を形成したベルト部材を設けることによって、搬送作業をより一層容易にすることができるものである。
【００４１】
また、背面板の上部に、帯状のベルト部材の基端部を固定し、その先端部を上面板を経由して正面板の上部に引き出し、前記ベルト部材に設けた面ファスナを、正面板の上部に設けた面ファスナに係合させることによって、閉止した上面板が不用意に開くことを確実に防止することができる。
【００４２】
さらに、左右の側面板と係脱する、正面板および背面板の左右の縁部に一体的に連設した接合片に、それぞれベルト挿通部を配置し、各ベルト挿通部にベルトを挿通させることによって、各面板が不用意に分離離脱することを防止することができる。
【発明を実施するための最良の形態】
【００４３】
以下、この発明にかかる薄型表示装置用の梱包ケースの、最良の形態の実施例を、添付の図面に基づいて具体的に説明する。
なお、この発明は開示された実施例にのみ限定されるものではなく、発明の要旨を変更しない範囲で種々改良を加えることが可能である。
【００４４】
この発明の薄型表示装置用の梱包ケースは、少なくとも大きさの異なる複数の、薄型表示装置に対応することができるもので、不使用時にはコンパクトに折り畳んだ状態で保管することができ、繰り返し使用できるものである。
【００４５】
図１はこの発明にかかる薄型表示装置用の梱包ケースの正面斜視図、図２は同背面図を示すものである。
梱包ケース１は、大きさの異なる複数の薄型表示装置に対応することができるもの、すなわち、複数の機種に共用可能なもので、全体が矩形状の直方体からなるものである。
この梱包ケース１は、正面板３には、梱包ケースを所定の送り先に配送するための送り状や納品書などを収納することのできる、透明な収納ケース１ａが付設されている。
また、前記正面板３の下部から底面板２を経て背面板４の下部に到る、帯状のベルト部材１ｂ，１ｂが、所要の間隔を存して配置固定されている。
【００４６】
このバンド部材１ｂは、両端部を所要長さ分折り返し、その先端部を縫着することによって、縦長のリング状の把手を形成し、この把手によって、梱包ケース１を持ち上げることができるように構成されている。
【００４７】
また、左右の側面板６の上部には、それぞれ把手部６ｃが形成されている。
さらに、この側面板６の両側面縁に沿って重合される、正面板３および背面板４に付設された接合片３ａ，３ｂ、４ａ，４ｂの中央部には、それぞれベルト挿通部１ｄが付設されている。
したがって、各ベルト挿通部１ｄに帯状のベルト１２を挿通させることによって、不用意に左右の側面板６，６と正面板３および背面板４との係合が解かれ、搬送中に収納した薄型表示装置が飛び出さないように構成されている。
【００４８】
さらに、背面板４の上部には、一対のベルト部材１ｃ，１ｃの基端部が所要間隔を存して固定されている。
各ベルト部材１ｃの各先端部は、上面板５および接合片５ａを経由して、正面板３の所要部位に引き出され、引き出し位置（正面板３上部）において、各先端部の裏面に設けた面ファスナ（図示せず）を、前記正面板３上部に設けた面ファスナ（図示）に係合させることによって、不用意に上面板５が開くことを防止するよう構成されている。
なお、前記ベルト部材は、いずれも布製であることが好ましい。
【００４９】
かかる梱包ケース１は、図３に示すように、矩形状の底面板２と、この底面板２の長手方向の各側縁に沿って連設される正面板３と背面板４と、この背面板４の長手方向の側縁に連設される上面板５と、および底面板２の短手方向の各側縁に配置される、左右一対の側面板６，６とでケース本体Ａが構成されているものである。
【００５０】
このケース本体Ａを構成する正面板３と背面板４は、各短手方向の側縁に沿って、それぞれ帯状の接合片３ａ，３ｂ、４ａ，４ｂが一体的に連設される。
また、上面板５の長手方向の側縁には、同じく接合片５ａが一体的に連設されている。
【００５１】
一方、左右一対の側面板６，６は、長さが正面板３および背面板４の短手方向の側縁と等しく、幅が前記底面板２の短手方向の幅と等しい矩形状の板の下縁に、前記底面板２の１／２の長さの固定板６ａを連設するとともに、その上縁に帯状の接合片６ｂを連設して構成したものである。
なお、各側面板６の上縁の下方には、横長の透孔を形成して把手部６ｃが、それぞれ形成されたものである。
【００５２】
かかるケース本体Ａは、いずれもポリプロピレン樹脂を原材料とする、ライナと波状の中しんからなる、中空構造のプラスチックダンボールによって形成したものである。
このケース本体Ａを形成する素材は、繰り返し使用が可能で、所要の強度を有する軽量なものであれば、格別の制限はないものである。
【００５３】
また、実施例においては、梱包ケース１を、一枚のプラスチックダンボールの打ち抜きによって得た正面板、底面板および背面板が一体成形された部材と、左右一対の側面板とで構成しているが、１枚のプラスチックダンボールで構成してもよい。
その際、底面板が１枚だと、重量を有する薄型表示装置の場合には、強度に問題があるので、適切な補強を施すことが好ましい。
【００５４】
かかるケース本体Ａを用いて梱包ケース１を構成するには、各側面板６，６の固定板６ａ，６ａを、それぞれ図４に示すように、底面板上に当接重合したのち、リベットや接着剤などを使用して、固定板６ａ，６ａを底面板２上に一体的に固定して構成する。
したがって、この実施例においては、底面板２上に、各側面板６の固定板２が重合状態で固定されるため、底面板２が二重構造となっているので、強度が向上するものである。
【００５５】
なお、梱包ケース１の構成に際しては、ケース本体Ａにおける中しんの方向は、図４の円形内に示すように、組立てた場合に、正面板３と背面板４の中しんの方向が上下方向に沿うように、側面板６も中しんの方向が上下方向に沿うようにして各板を構成するものである。
【００５６】
しかるのち、底面板２に対して、連接する正面板３，背面板４，左右の側面板６，６をそれぞれ起立させて直方体状の梱包ケース１とするものである。
その際、正面板３、背面板４および左右の各側面板６，６は、いずれも隣接する板とは、着脱自在とするものである。
【００５７】
着脱自在とする手段の具体例としては、正面板３の接合片３ａ，３ｂおよび背面板４の接合片４ａ，４ｂの各内面側に、それぞれ所要の間隔を存して面ファスナＦを固定するとともに、この面ファスナと係合する面ファスナｆを、側面板６，６の外面側の長手方向に沿う側縁にそれぞれ固定する。
【００５８】
また、上面板５の接合片の内面側に、所要間隔を存して公知の面ファスナＦを固定するとともに、この面ファスナと係合する面ファスナｆを、正面板３の外面側の上部にそれぞれ固定し、面ファスナＦと面ファスナｆとの係脱によって、梱包ケース１を直方体状に組立て、あるいは扁平状態に折畳み可能としたものである。
【００５９】
なお、梱包ケース１を、直方体状に組立てあるいは扁平に折畳み可能とする係脱部材については、一例として面ファスナ（面ファスナ自体の構造は問わない。）を示したが、前記状態に構成できるものであれば、雌雄のホック部材などであってもよい。
【００６０】
かかる構成からなる梱包ケース１は、内部の所要部位に、形状の異なる複数の緩衝部材を、着脱自在に配置することによって、薄型表示装置を適切に梱包することができるものである。
具体的には、背面板４に配置される背面緩衝材と、正面板３に配置される前面緩衝材および底面板２に配置される底部支持部材である。
【００６１】
前記背面緩衝部材７，７は、前記背面板４の内側面に配置され、収納される薄型表示装置（図示せず）の本体部の背面を保護するためのもので、所要の大きさの直方体からなる左右一対のものである。
この背面緩衝材７は、いずれも、２０倍発泡のオレフィン系の低発泡ポリエチレンからなる緩衝材主体７ａの表面に、薄板状の発泡ウレタンからなる表面材７ｂを一体的に貼着したもので、前記表面材７ｂが、薄型表示装置の背面を、傷や擦れなどから防止する。
なお、前記の薄型表示装置は、機種やメーカーによって、背面部の厚さが微妙に異なっているので、表面材はある程度復元力のある柔軟な素材が好ましい。
【００６２】
この背面緩衝部材７，７は、前記のように背面板４の内側面に、所要の間隔を存して配置固定するものであるが、その取付位置は、上端部を背面板４の上縁部近傍とすることで殆どの機種に対応させることができる。
その際、搬送後の梱包ケース１の、折畳みのための取外しや、取付位置を調整可能とするため、図示しないが、背面板４の上縁部から下縁部に向けて、所要の幅を存して帯状の面ファスナーを並行に配置固定し、各背面緩衝部材７の緩衝材主体７ａの裏面にも面ファスナーを設けることによって、背面緩衝部材７，７を、収納する機種に合わせて所望の高さ位置に固定できるとともに、簡単かつ容易に背面板４から取外すことも可能にできる。
【００６３】
なお、各背面緩衝部材７の緩衝材主体７ａの裏面に面ファスナーを設ける場合、各緩衝材主体７ａの裏面にプラスチックダンボールからなる補強板を一体的に貼着し、この補強板状体の裏面に面ファスナーを設けることが好ましい。
また、背面緩衝部材７は、必ずしも左右一対である必要はなく、幅の広い１枚ものであっても、幅の狭い３つ以上の部材であってもよいが、作業性などを考慮すると、左右一対で使用することが好ましい
【００６４】
前記前面緩衝材８は、前記の正面板４の内側面に高さ方向に移動自在に配置されるものであって、薄型表示装置の液晶もしくはプラズマ画面部の上縁部を押さえ、搬送中の振動などに伴う薄型表示装置の上下動や揺れを防止するためのものである。
【００６５】
この前面緩衝材８は、図５、特には図６に示すように、所要の厚みを有する緩衝材主体８ａの前面部上部に、厚み方向に所要の深さで切欠部を形成して突出部８ｂを形成するとともに、前記切欠面を突出部８ｂ下端から底部に向かって厚みを次第に薄くさせてテーパー面８ｃを形成し、前記突出部８ｂの下方のテーパー面８ｃに、所要の厚みを有する表面材８ｄを、少なくとも前記テーパー面８ｃの上部半分に貼着固定したものである。
【００６６】
かかる構成からなる前面緩衝部材８は、緩衝材主体８ａが、２０倍発泡のオレフィン系の低発泡ポリエチレンからなるとともに、表面材８ｄが、発泡ウレタンのように弾性を有する素材からなるもので、背面部には、プラスチックダンボールからなる補強板８ｅが一体的に貼着されるとともに、この補強板８ｅの背面中央には、上縁から下縁に向けて所要幅の面ファスナ８ｆが貼着固定されたものである。
【００６７】
なお、図示しないが、前面緩衝部材８は、上部に突出部８ｂを形成することなく、所要の厚みを有する緩衝材主体８ａの前面部を上縁から下縁に向けて厚みを次第に薄くさせてテーパー面を形成してもよいが、前記のように突出部８ｂを形成し、この突出部８ｂを薄型表示装置の画面の上縁部に係止させることによって、より確実に薄型表示装置の上下動や揺れを防止することができる。
【００６８】
なお、前記梱包ケース１の正面板３の内面中央部には、上縁から下縁に向けて所要幅の面ファスナ３ｃが貼着され、前記前面緩衝部材８の面ファスナ８ｆを係脱させることができるよう構成されている。
【００６９】
底面板２に配置される前記底部支持部材９，９は、図７および図８で明らかなように、左右一対のもので、支持脚以外の薄型表示装置の下部を支持するためのものである。
前記各底部支持部材９は、所要の高さと、底面板２の短手方向の幅とほぼ等しい幅を有する直方体状の緩衝材主体９ａの、上面部のほぼ中央に、薄型表示装置の画面部の下縁部を受入れるための所要の幅と深さを有する凹状部９ｂが形成されるとともに、この凹状溝９ｂの後方に、薄型表示装置の本体部の下部を載置するための載置部９ｃが、前記上面部よりも低い位置に形成されたもので、その表面には、全域に亘って弾性材からなる表面材９ｄが貼着されている。
【００７０】
この底部支持部材９は、直方体状の緩衝材主体９ａを２０倍発泡のオリフィン系の低発泡ポリエチレンで形成し、表面材９ｄを発泡ウレタンで形成したものである。
前記直方体状の緩衝材主体９ａの高さは、適用する薄型表示装置の支持脚が底面板２と当接しない高さとすることによって、薄型表示装置を宙吊り状態で保持し、衝撃が支持脚を介して本体部に伝わることを防止することが好ましい、
【００７１】
なお、前記各底部支持部材９は、その裏面部には、プラスチックダンボールからなる補強板９ｅが一体的に貼着されるとともに、この補強板９ｅの背面の前後部には、所要幅の面ファスナ９ｆが貼着固定されたものである。
【００７２】
かかる底部支持部材９は、前記底面板２上の左右両端部に、前記面ファスナ９ｆと係合する面ファスナを配置固定し、当該面ファスナに面ファスナ９ｆを係脱させることによって、底面板２上に固定して使用するものである。
【００７３】
その際、底面板２上に直接、底部支持部材９，９を係脱させる手段は、梱包ケース１が大型になるほど、正面板３など開放された面板を踏み付けて作業をせざるを得ず、作業性が低下するとともに、面板を損傷するおそれがあるので、底面板２上に中敷板１０をスライド自在に配置し、この中敷板１０に前記底部支持部材９，９を係脱させるよう構成することが好ましい。
【００７４】
なお、この底部支持部材９，９は、基本的には、支持脚以外の薄型表示装置の下部を支持するためのものであるが、使用に際しては、左右方向から前記支持脚を挟み込むことによって、支持脚を固定すれば、薄型表示装置が左右に移動することがなく、安定した状態で梱包ケース１内に保持することができる。
【００７５】
この中敷板１０は、前記底面板２とほぼ同じ大きさで、所要の厚みを有するポリエチレンシート、具体的には、ポリエチレンを押出発泡成形した独立発泡構造の、２倍発泡シート（厚さ約７ｍｍ）からなるもので、図７に示すように、左右両端部に、それぞれ帯状の一対の面ファスナＦ，Ｆを、前後方向に所定幅を存して平行に配置固定したものである。
なお、背面板４側の側縁には、後述する薄型表示装置の付属品を収納する付属品収納ケース１１を固定するための面ファスナＦ，Ｆが所要間隔を存して配置固定されている。
【００７６】
前記付属品収納ケース１１は、梱包ケース１と同質の素材で構成されたもので、前面部に設けられた面ファスナＦと係脱する面ファスナｆが、上面部に連設された接合片の内側に設けられ、収納した付属品が飛び出さないよう上面部を固定するものである。
【００７７】
なお、この付属品収納ケース１１の背面部には、図７で明らかなように、前記中敷板１０の背面板４側の側縁に設けられた面ファスナＦ，Ｆと係脱する面ファスナｆ，ｆが、面ファスナＦ，Ｆと対応して配置固定され、付属品収納ケース１１を横方向に立てた状態で中敷板１０上に保持する。
【００７８】
また、この付属品収納ケース１１の底部にも、前記中敷板１０の背面板４側の側縁に設けられた面ファスナＦ，Ｆと係脱する面ファスナｆ，ｆが、前記面ファスナＦ，Ｆと対応して配置固定され、前記付属品収納ケース１１を横方向に寝かせた状態で中敷板１０上に保持するよう構成されている。
【００７９】
かかる構成から梱包ケース１内に薄型表示装置Ｄを収納する手順を、以下具体的に説明する。
まず、図４に示す梱包ケース１の展開図において、底面板２の短手方向の側縁に沿って側面板６，６を上方にほぼ直角に起立させるとともに、底面板２の長手方向の側縁に沿って背面板４を同様にほぼ直角に起立させ、左右の側面板６，６の、外側両側縁に沿って設けた面ファスナｆ，ｆ……に、背面板４の内側両側縁に沿って設けた面ファスナＦ，Ｆ……をそれぞれ係合させて、図５に示すような形状に組立てる。
【００８０】
この状態において、図示の実施例では、背面板４の内側にはあらかじめ背面緩衝材７，７が固定されているが、背面板４の内面上部に一対の帯状の面ファスナを、所要間隔を存して縦方向に配置固定するとともに、各背面緩衝材７にも面ファスナを取付け、両者の係脱によって背面緩衝材７の取付位置を上下方向で調整することも可能である。
【００８１】
ついで、中敷板１０上に左右一対の底部支持部材９，９を、収納しようとする薄型表示装置の大きさに合わせて、中敷板１０に付設された面ファスナＦ，Ｆへの、底部支持部材９の面ファスナｆ，ｆを係脱させながら位置調整を行なったのち、中敷板１０を底面板２上に配置する。
【００８２】
ついで、中敷板１０上に配置固定された左右一対の底部支持部材９，９間に、薄型表示装置Ｄを載置するものであるが、中敷板１０が底面板２上に配置した状態では、薄型表示装置の載置作業は、作業者が正面板３上に乗ることが避けられず、正面板３を損傷するおそれがある。
【００８３】
そこで、前記中敷板１０を、正面板３上にスライド移動させて行なうことが好ましい。
その際、正面板３の内側中央部に配置固定される面ファスナ３ｃの先端部を、中敷板１０の幅と同じ幅分だけ短くすることによって、中敷板１０を引き出したとき、中敷板１０の前縁部が前記面ファスナ３ｃの先端部に突き当たり、中敷板１０のスライド幅を制御することができる。
【００８４】
引き出された中敷板１０に、図１０に示すように、薄型表示装置Ｄの画面部Ｄ１を前に向けた状態で、その下縁部が左右の底部支持部材９，９に形成された凹状部９ｂに嵌り込むようにして各底部支持部材９，９に載置すると、薄型表示装置Ｄの本体部Ｄ２は、各底部支持部材９に形成された載置部９ｃに安定した状態で保持されるものである。
【００８５】
その際、各底部支持部材９は、その高さが、収納しようとする薄型表示装置Ｄの脚部（図示せず）の高さよりも高く形成されているので、前記脚部は中敷板１０と当接することがなく、底面板２に何らかの衝撃が加わっても、その衝撃が薄型表示装置Ｄに直接影響を与えるおそれがないものである。
【００８６】
ついで、中敷板１０を底面板２上にスライド移動させたのち、正面板２の内側の面ファスナ３ｃに、前面緩衝部材８の突出部８ｂの下面が、薄型表示装置Ｄの画面部Ｄ１の上縁部と係合するする位置になるよう調節して、前面緩衝部材８の面ファスナ８ｆを係合配置する。
【００８７】
なお、付属品収納ケース１１には、あらかじめ薄型表示装置の説明書や、リモートコントローラ、接続ケーブルなどの付属品を収納しておき、収納する薄型表示装置の大きさや形状に合わせ、中敷板１０上に、扁平な状態（横方向に寝かせた状態）で、あるいは起立した状態（横方向に立てた状態）で、面ファスナｆを用いて中敷板１０の面ファスナＦに係合させて固定するものである。
【００８８】
ついで、正面板３を立ち上げ、正面板の左右側縁に連設した接合片３ａ，３ｂの内側に配置固定した面ファスナＦ，Ｆ……を、それぞれ左右の側面板６，６の外面に配置固定された面ファスナｆ，ｆ……にそれぞれ係合させたのち、上面板５の接合片５ａの内側に配置固定された面ファスナ５ｂを、それぞれ正面板３の外面上部に配置固定された面ファスナ３ｃに係合させることによって、梱包ケース１を完成させるものである。
【００８９】
ついで、背面板４の上部に基端部を固定した一対のベルト部材１ｃ，１ｃを、それぞれ上面板５を経由して正面板３の上部に引き出し、正面板３の上部に配置固定した面ファスナに、前記各ベルト部材１ｃ，１ｃの先端部裏面に設けた面ファスナを係合させて、衝撃などによって不用意に上面板５が開放されるのを防止する。
【００９０】
しかるのち、左右の側面に位置するベルト挿通部１ｄに順次、所要長さのベルト１２の先端部を挿通させて梱包ケース１の四周を囲繞させたのち、左右いずれかの側面において他端部に設けられた緊締具（図示せず）を利用して、全体を確りと締付けて梱包作業を完了させ、搬送に付するものである。
【００９１】
開梱に際しては、前記した手順と逆の操作を行なうことによって、梱包ケース１から収納した薄型表示装置Ｄを容易に取り出すことができる。
なお、前記の梱包手順は、その一例を示したものであって、実施例の手順に限定されるものではない。
【００９２】
収納した薄型表示装置を取り出した後の梱包ケース１は、保管場所がある場合には、各緩衝部材や付属品収納ケースを内部に収納した状態で立体形状を維持したまま保管することができる。
また、立体形状を維持した状態で保管が難しい場合には、正面板３、左右の側面板６，６、背面板４の各面ファスナの係合を解き、内部の背面緩衝部材７，７、底部支持部材９，９、前面緩衝部材８および付属品収納ケース１１をそれぞれ梱包ケース１から取外すことによって、梱包ケース１を扁平な状態に折畳み保管することができる。
【産業上の利用可能性】
【００９３】
この発明にかかる梱包ケースは、液晶テレビやプラズマテレビなどの薄型表示部を有する装置の搬送に使用するものであるが、全体が平面状の物品であれば、薄型表示装置用以外にも利用することが可能なものである。
【図面の簡単な説明】
【００９４】
【図１】この発明にかかる薄型表示装置用の梱包ケースの一例を示す正面斜視図である。
【図２】図１の梱包ケースにベルトを装着した状態を示す背面斜視図である。
【図３】この発明の薄型表示装置用の梱包ケースを構成するケース本体の展開図である。
【図４】同梱包ケースの展開図でである。
【図５】同梱包ケースの組立て状態を示す斜視図である。
【図６】同梱包ケースに適用する前面緩衝部材の正面斜視図である。
【図７】同梱包ケースに適用する底部支持部材と中敷板および付属品収納ケースを示す斜視図である。
【図８】図７に示す底部支持部材の斜視図である。
【図９】図７に示す付属品収納ケースを開いた状態を示す斜視図である。
【図１０】薄型表示装置を梱包した状態を示す断面図である。
【符号の説明】
【００９５】
１          梱包ケース
２          底面板
３          正面板
４          背面板
５          上面板
６          側面板
７          背面緩衝部材
８          前面緩衝部材
９          底部支持部材
１０          中敷板
１１          付属品収納ケース
１２          ベルト
Ａ          ケース本体
Ｄ          薄型表示装置
Ｄ１        画面部
Ｄ２        本体部
Ｆ，ｆ      面ファスナ
【図１】
2009102053.tif 000003
【図２】
2009102053.tif 000004
【図３】
2009102053.tif 000005
【図４】
2009102053.tif 000006
【図５】
2009102053.tif 000007
【図６】
2009102053.tif 000008
【図７】
2009102053.tif 000009
【図８】
2009102053.tif 000010
【図９】
2009102053.tif 000011
【図１０】
2009102053.tif 000012